(57)【要約】      （修正有）【課題】ブーツがハウジングから脱落するのを抑制する。【解決手段】光コネクタは、相手コネクタに嵌合可能な嵌合部を一端に有するハウジング６と、ハウジング６の他端に取り付けられたブーツ７と、を備える。ハウジング６には、相手コネクタへの嵌合方向に対して直交する方向に柱状に突出するブーツガイド突部４１が形成されている。ブーツ７にはブーツガイド突部４１が収容される貫通孔としてのブーツガイド収容部５７が形成されている。【選択図】図１３
2020101668.tif 000002
【特許請求の範囲】
【請求項１】
嵌合対象物に嵌合可能な嵌合部を一端に有するハウジングと、
前記ハウジングの他端に取り付けられたブーツと、
を備え、
前記ハウジングと前記ブーツの何れか一方には、前記嵌合対象物への嵌合方向に対して交差する方向に柱状に突出するブーツ突部が形成されており、他方には前記ブーツ突部が収容される貫通孔又は窪みであるブーツ突部収容部が形成されている、
光コネクタ。
【請求項２】
請求項１に記載の光コネクタであって、
前記ブーツ突部の外周面と前記ブーツ突部収容部の内周面の間には隙間がある、
光コネクタ。
【請求項３】
請求項２に記載の光コネクタであって、
前記ブーツ突部の突出方向に沿って見ると、前記ブーツ突部収容部は、所定の方向に沿って細長く延びるように形成されている、
光コネクタ。
【請求項４】
請求項３に記載の光コネクタであって、
前記ブーツ突部収容部は、前記ブーツ突部収容部の長手方向において前記ブーツ突部収容部を区画する２つの区画面を有する、
光コネクタ。
【請求項５】
請求項３又は４に記載の光コネクタであって、
前記突出方向に沿って見ると、前記ブーツ突部収容部は、円弧状に延びている、
光コネクタ。
【請求項６】
請求項３又は４に記載の光コネクタであって、
前記ハウジングと前記ブーツの何れか一方には、前記ブーツ突部が複数で形成されており、他方には、前記複数のブーツ突部に対応するように前記ブーツ突部収容部が複数形成されており、
前記突出方向に沿って見ると、前記複数のブーツ突部収容部は、単一の円弧に沿って円弧状に延びている、
光コネクタ。
【請求項７】
請求項５又は６に記載の光コネクタであって、
前記ブーツは、前記ハウジングに収容される被収容部を有し、
前記被収容部は、前記ハウジングの内壁面に対して対向する環状の対向面を有し、
前記環状の対向面には、前記ハウジングの前記内壁面に対して環状に接触するリブが形成されている、
光コネクタ。
【請求項８】
請求項７に記載の光コネクタであって、
前記環状の対向面には、前記リブが少なくとも２つ、前記嵌合方向において離れた位置に形成されている、
光コネクタ。
【請求項９】
嵌合対象物に嵌合可能な嵌合部を一端に有するハウジングと、
光ケーブルの外皮に圧着される圧着部を有する圧着部材と、
を備え、
前記ハウジングと前記圧着部材の何れか一方には、前記嵌合対象物への嵌合方向に対して交差する方向に柱状に突出する圧着突部が形成されており、他方には前記圧着突部が収容される貫通孔又は窪みである圧着突部収容部が形成されている、
光コネクタ。
【請求項１０】
請求項９に記載の光コネクタであって、
前記圧着突部又は前記圧着突部収容部の少なくとも何れか一方は円柱状に形成されている、
光コネクタ。
【請求項１１】
請求項９又は１０に記載の光コネクタであって、
前記圧着部材の前記圧着部の内側に配置され、前記光ケーブルの前記外皮の中に挿入可能な圧着支持部材を更に備える、
光コネクタ。
【請求項１２】
請求項１１に記載の光コネクタと、
前記光ケーブルと、
を備え、
前記光コネクタは、フェルールを更に備え、
前記光ケーブルは、光ファイバコードと、前記光ファイバコードに縦添えされた抗張力部材と、前記光ファイバコードと前記抗張力部材を覆う前記外皮と、を有し、
前記外皮にはスリットが形成されており、
前記光ファイバコードは、前記スリットを通じて前記光ケーブルから引き出されており、前記圧着部材の前記圧着部の外側を通って前記フェルールに至る、
ハーネス。
【発明の詳細な説明】
【技術分野】
【０００１】
本発明は、光コネクタ及びハーネスに関する。
【背景技術】
【０００２】
特許文献１（特開平５−６６３２１号公報）は、球面状外面１００を有するフェルール１０１と、フェルール１０１の球面状外面１００に摺動自在に係合する球面係合部１０２を有する金属製のジョイント用スリーブ１０３と、を備えた光コネクタ１０４を開示する。この構成によれば、光ファイバコード１０５のコア１０６の断線を防止できるとしている。
【発明の概要】
【発明が解決しようとする課題】
【０００３】
しかしながら、上記特許文献１の構成では、ジョイント用スリーブ１０３に外力が作用した場合、ジョイント用スリーブ１０３がフェルール１０１から脱落してしまう虞がある。
【０００４】
本開示の目的は、ブーツがハウジングから脱落するのを抑制する技術を提供することにある。
【課題を解決するための手段】
【０００５】
本開示の第１の観点によれば、嵌合対象物に嵌合可能な嵌合部を一端に有するハウジングと、前記ハウジングの他端に取り付けられたブーツと、を備え、前記ハウジングと前記ブーツの何れか一方には、前記嵌合対象物への嵌合方向に対して交差する方向に柱状に突出するブーツ突部が形成されており、他方には前記ブーツ突部が収容される貫通孔又は窪みであるブーツ突部収容部が形成されている、光コネクタが提供される。
好ましくは、前記ブーツ突部の外周面と前記ブーツ突部収容部の内周面の間には隙間がある。
好ましくは、前記ブーツ突部の突出方向に沿って見ると、前記ブーツ突部収容部は、所定の方向に沿って細長く延びるように形成されている。
好ましくは、前記ブーツ突部収容部は、前記ブーツ突部収容部の長手方向において前記ブーツ突部収容部を区画する２つの区画面を有する。
好ましくは、前記突出方向に沿って見ると、前記ブーツ突部収容部は、円弧状に延びている。
好ましくは、前記ハウジングと前記ブーツの何れか一方には、前記ブーツ突部が複数で形成されており、他方には、前記複数のブーツ突部に対応するように前記ブーツ突部収容部が複数形成されており、前記突出方向に沿って見ると、前記複数のブーツ突部収容部は、単一の円弧に沿って円弧状に延びている。
好ましくは、前記ブーツは、前記ハウジングに収容される被収容部を有し、前記被収容部は、前記ハウジングの内壁面に対して対向する環状の対向面を有し、前記環状の対向面には、前記ハウジングの前記内壁面に対して環状に接触するリブが形成されている。
好ましくは、前記環状の対向面には、前記リブが少なくとも２つ、前記嵌合方向において離れた位置に形成されている。
本開示の第２の観点によれば、嵌合対象物に嵌合可能な嵌合部を一端に有するハウジングと、光ケーブルの外皮に圧着される圧着部を有する圧着部材と、を備え、前記ハウジングと前記圧着部材の何れか一方には、前記嵌合対象物への嵌合方向に対して交差する方向に柱状に突出する圧着突部が形成されており、他方には前記圧着突部が収容される貫通孔又は窪みである圧着突部収容部が形成されている、光コネクタが提供される。
好ましくは、前記圧着突部又は前記圧着突部収容部の少なくとも何れか一方は円柱状に形成されている。
好ましくは、前記圧着部材の前記圧着部の内側に配置され、前記光ケーブルの前記外皮の中に挿入可能な圧着支持部材を更に備える。
上記の光コネクタと、前記光ケーブルと、を備え、前記光コネクタは、フェルールを更に備え、前記光ケーブルは、光ファイバコードと、前記光ファイバコードに縦添えされた抗張力部材と、前記光ファイバコードと前記抗張力部材を覆う前記外皮と、を有し、前記外皮にはスリットが形成されており、前記光ファイバコードは、前記スリットを通じて前記光ケーブルから引き出されており、前記圧着部材の前記圧着部の外側を通って前記フェルールに至る、ハーネスが提供される。
【発明の効果】
【０００６】
本開示によれば、ブーツがハウジングから脱落するのを抑制することができる。
【図面の簡単な説明】
【０００７】
【図１】ハーネスの斜視図である。
【図２】ハウジングの一部を取り外した状態のハーネスの斜視図である。
【図３】光ケーブルの断面図である。
【図４】ハーネスの分解斜視図である。
【図５】下ハウジングにブーツを取り付ける前の状態を示す斜視図である。
【図６】下ハウジングにブーツを取り付けた後の状態を示す斜視図である。
【図７】ブーツの平面図である。
【図８】下ハウジングにブーツを取り付けた後の状態を示す平面図である。
【図９】圧着部材と圧着支持部材を示す斜視図である。
【図１０】圧着部材に圧着支持部材を挿入した状態を示す一部切り欠き斜視図である。
【図１１】ハーネスの一部切り欠き斜視図である。
【図１２】ハーネスの一部切り欠き斜視図である。
【図１３】ハーネスの一部切り欠き平面図である。
【図１４】特許文献１の図２を簡略化した図である。
【発明を実施するための形態】
【０００８】
以下、図１から図１３を参照して、本開示の好適な実施形態を説明する。図１及び図２には、ハーネス１の斜視図を示している。
【０００９】
図１及び図２に示すように、ハーネス１は、光ケーブル２と、光ケーブル２の端部に取り付けられた光コネクタ３と、を備えている。
【００１０】
図１に示すように、光コネクタ３は、二点鎖線で示す相手コネクタ４（嵌合対象物）と嵌合可能な嵌合部５を一端に有する樹脂製のハウジング６と、ハウジング６の他端に取り付けられた樹脂製のブーツ７と、を主たる構成として備えている。光ケーブル２は、ブーツ７を介してハウジング６から引き出されている。
【００１１】
相手コネクタ４は、例えば、産業用ロボットや工作機械など、高速伝送が必要とされるＦＡ（Factory Automation）機器に搭載されるコネクタである。ＦＡ機器の設置環境によっては配線スペースを十分には確保できない場合があり、その場合、光ケーブル２をきつく曲げなければならない。一方で、光ケーブル２には許容曲げ半径が仕様で規定されており、光ケーブル２の曲げ半径は幾らでも小さくすることができるわけではない。従って、光コネクタ３には、光ケーブル２の曲がり始めることが可能な位置、即ち曲げ開始位置をできるだけ嵌合部５に近づけることが求められている。
【００１２】
ここで、図３を参照して、本実施形態において採用される光ケーブル２を説明する。図３には、光ケーブル２の断面図を示している。本明細書において、光ケーブル２は、少なくとも１つの光ファイバコード８を備えるものとして定義する。本実施形態の光ケーブル２は、多心型光ケーブルとしており、２つの光ファイバコード８と、２つの光ファイバコード８に対して縦添えされた複数の繊維９から成る外テンションメンバ１０（抗張力部材）と、２つの光ファイバコード８と上記の外テンションメンバ１０を覆う外皮１１と、により構成されている。
【００１３】
各繊維９は、例えば、アラミド繊維、ポリパラフェニレンベンゾビスオキサゾール繊維、ガラス繊維、金属繊維などのヤング率の高い材料から成る。
【００１４】
外皮１１は、熱可塑性樹脂、熱硬化性樹脂、紫外線硬化型樹脂であって、例えば、ポリ塩化ビニル樹脂、ポリエステル樹脂、ポリアミド樹脂を採用し得る。
【００１５】
各光ファイバコード８は、心線１２に複数の繊維１３から成る内テンションメンバ１４が縦添えされ、これらをシース１５で覆って構成されている。なお、心線１２に複数の繊維１３から成る内テンションメンバ１４を縦添えすることに代えて、心線１２を上記外皮１１と同一の素材から成る被覆で覆ってもよい。
【００１６】
内テンションメンバ１４及びシース１５の素材は、それぞれ、上述した外テンションメンバ１０及び外皮１１のものを採用し得る。
【００１７】
本実施形態では、光ケーブル２が２つの光ファイバコード８を有するものとしたが、１つのみ、又は、３つ以上の光ファイバコード８を有するものとしてもよい。
【００１８】
次に、図４以降を参照して、光コネクタ３を説明する。図４に示すように、本実施形態の光コネクタ３は、多心型の光ケーブル２に対応して多心型光コネクタとしている。しかし、これに限らず、光コネクタ３は単心型光コネクタであってもよい。
【００１９】
図４に示すように、光コネクタ３は、ハウジング６と、ブーツ７と、２つのフェルール２０と、２つの圧縮コイルスプリング２１と、圧着部材２２と、圧着支持部材２３と、により構成されている。
【００２０】
ハウジング６は、嵌合部５を有する下ハウジング２４と、上ハウジング２５と、により構成されている。下ハウジング２４と上ハウジング２５が溶着又は接着により互いに結合することで、ハウジング６には内部空間２６が形成される。
【００２１】
ここで、「挿抜方向」、「コネクタ高さ方向」、「コネクタ幅方向」を定義する。挿抜方向とコネクタ高さ方向、コネクタ幅方向は互いに直交する方向である。挿抜方向は、図１に示すように、光コネクタ３を相手コネクタ４に対して挿抜する方向である。挿抜方向は、光コネクタ３を相手コネクタ４に嵌合する嵌合方向と、嵌合方向の反対方向であって光コネクタ３を相手コネクタ４から抜去する抜去方向を含む。コネクタ高さ方向は、図４に示すように、下ハウジング２４と上ハウジング２５が向かい合う方向である。コネクタ高さ方向は、上方と下方を含む。上方は、下ハウジング２４から見て上ハウジング２５が存在する方向である。下方は、上方の反対方向である。コネクタ幅方向は、挿抜方向及びコネクタ高さ方向に対して直交する方向である。なお、以降の説明において、上方、下方、上面、下面などを使用するが、これらの用語は単に説明の便宜上使用するものであって、実際の使用状態における光コネクタ３の姿勢によって限定して解釈してはならない。
【００２２】
各フェルール２０は、金属製であって、各圧縮コイルスプリング２１によって常時、嵌合方向に押圧されるようにハウジング６の内部空間２６に収容される。上ハウジング２５には、各圧縮コイルスプリング２１の弾性復元力を受け止めるバネ押さえ２７が形成されている。
【００２３】
図５には、下ハウジング２４及びブーツ７を拡大して示している。図５に示すように、下ハウジング２４は、２つのフェルール貫通孔３０が形成された前述の嵌合部５と、２つのスプリング支持部３１と、底板３２と、２つの側板３３と、を有している。
【００２４】
２つのフェルール貫通孔３０は、２つのフェルール２０がそれぞれ挿入される孔である（図４を併せて参照）。
【００２５】
２つのスプリング支持部３１は、２つの圧縮コイルスプリング２１をそれぞれ支持する部分であって、半円筒状に形成されている。
【００２６】
底板３２は、内部空間２６をコネクタ高さ方向において区画するものであって、板厚方向がコネクタ高さ方向と平行な部分である。底板３２は、上方を向く底面３２Ａを有する。底板３２から上方に向かって、圧着ガイド突部４０（圧着突部）と、２つのブーツガイド突部４１（ブーツ突部）と、が突出して形成されている。
【００２７】
圧着ガイド突部４０は、底板３２のコネクタ幅方向における中央であって、嵌合部５寄りに形成されている。圧着ガイド突部４０は、円柱状であって、コネクタ高さ方向に対して平行に延びるように形成されている。圧着ガイド突部４０は、外周面４０Ａを有する。
【００２８】
２つのブーツガイド突部４１は、コネクタ幅方向において互いに離れた位置に形成されている。２つのブーツガイド突部４１は、圧着ガイド突部４０と比較して、嵌合部５から遠くに配置されている。２つのブーツガイド突部４１は、円柱状であって、コネクタ高さ方向に対して平行に延びるように形成されている。本実施形態において各ブーツガイド突部４１の直径は、圧着ガイド突部４０の直径より細い。しかしながら、各ブーツガイド突部４１の直径は、圧着ガイド突部４０の直径より太くてもよく、等しくてもよい。各ブーツガイド突部４１は、外周面４１Ａを有する。
【００２９】
２つの側板３３は、内部空間２６を挿抜方向及びコネクタ幅方向で区画するものであって、底板３２の外縁から上方に突出して形成されている。２つの側板３３は、平面視で、圧着ガイド突部４０を中心として円弧を描くように湾曲している。２つの側板３３は、コネクタ幅方向において互いに離れて配置されている。２つの側板３３の間には、ブーツ７が配置されるブーツ取り付け窪み４３が形成されている。圧着ガイド突部４０の径方向において、各側板３３は、対応する各ブーツガイド突部４１の径方向外方に配置されている。圧着ガイド突部４０の径方向において、各側板３３は、対応する各ブーツガイド突部４１と対向している。各側板３３は、湾曲内壁面３３Ａを有する。湾曲内壁面３３Ａは、平面視で、圧着ガイド突部４０を中心に円弧を描くように湾曲する面である。
【００３０】
図５及び図６に示すように、ブーツ７は、ハウジング６の内部空間２６に収容される被収容部５０と、被収容部５０から抜去方向に延びて外部に露出する筒状の蛇腹部５１と、により構成されている。
【００３１】
被収容部５０は、被収容部本体５２と、２つのガイドアーム５３と、を有している。
【００３２】
被収容部本体５２は、板厚方向が挿抜方向に平行となる板状に形成されている。図６に示すように、被収容部本体５２には、光ケーブル２が通されるケーブル孔５４が形成されている。ケーブル孔５４は、挿抜方向に沿って見ると、コネクタ幅方向において幅広に形成されている。即ち、ケーブル孔５４のコネクタ幅方向における寸法は、ケーブル孔５４のコネクタ高さ方向における寸法よりも大きい。図５及び図７に示すように、被収容部本体５２は、上面５２Ａ、下面５２Ｂ、２つの側面５２Ｃを有している。上面５２Ａ、下面５２Ｂ、２つの側面５２Ｃは、環状に連なっており、図７において二点鎖線で示す光ケーブル２を取り囲む環状の外周面５５（対向面）を構成している。上面５２Ａは、上方を向き、上ハウジング２５の内壁面に対向する。下面５２Ｂは、下方を向き、下ハウジング２４の底板３２の底面３２Ａに対向する。２つの側面５２Ｃは、図５に示す２つの側板３３の湾曲内壁面３３Ａにそれぞれ対向する。なお、上ハウジング２５も、下ハウジング２４の２つの側板３３の湾曲内壁面３３Ａに相当する面を有しており、２つの側面５２Ｃは、上ハウジング２５のこれらの面に対しても対向することになる。そして、図５に示すように、環状の外周面５５には、２つの環状リブ５６（リブ）が形成されている。２つの環状リブ５６は、環状の外周面５５と同様に、光ケーブル２を取り囲むように環状に延びている。２つの環状リブ５６は、挿抜方向において互いに離れて形成されている。
【００３３】
２つのガイドアーム５３は、被収容部本体５２の幅方向における２つの端部から嵌合方向に突出して形成されている。２つのガイドアーム５３は、嵌合方向に向かうにつれて互いに離れるように突出している。各ガイドアーム５３は、各側板３３の湾曲内壁面３３Ａに沿って円弧状に延びている。図７に示すように、各ガイドアーム５３には、ブーツガイド収容部５７（ブーツ突部収容部）が形成されている。各ブーツガイド収容部５７は、挿抜方向に対して交差する方向に延びる貫通孔である。本実施形態では、各ブーツガイド収容部５７は、挿抜方向に対して直交する方向、即ち、コネクタ高さ方向に延びる貫通孔である。図５及び図６に示すように、各ブーツガイド収容部５７には、各ブーツガイド突部４１が挿入されて収容される。各ブーツガイド収容部５７は、各ブーツガイド突部４１が各ブーツガイド収容部５７の内部において移動可能となるように形成されている。具体的には、各ブーツガイド収容部５７は、各ブーツガイド収容部５７に各ブーツガイド突部４１を挿入すると、図７に示す各ブーツガイド収容部５７の内周面５７Ａと、図５に示す各ブーツガイド突部４１の外周面４１Ａと、の間に隙間ができるように形成されている。
【００３４】
また、図７に示すように、各ブーツガイド収容部５７は、所定の方向に沿って細長く延びるように形成されている。図７の例では、各ブーツガイド収容部５７は、圧着ガイド突部４０を中心とする円弧５８に沿って円弧状に延びるように形成されている。図７の平面視において各ブーツガイド収容部５７が描く円弧の中心角は、本実施形態において５度としている。しかしながら、各ブーツガイド収容部５７が描く円弧の中心角は、５度に限定されない。各ブーツガイド収容部５７は、ブーツガイド収容部５７の長手方向においてブーツガイド収容部５７を区画する２つの区画面５７Ｂを有する。即ち、各ブーツガイド収容部５７の内周面５７Ａは、２つの区画面５７Ｂを含む。２つの区画面５７Ｂは、平面視で見ると、各ブーツガイド収容部５７の長手方向において互いに対向している。
【００３５】
図８には、下ハウジング２４にブーツ７を取り付けた様子を示している。図８に示すように、下ハウジング２４をブーツ７に取り付けるには、下ハウジング２４の２つのブーツガイド突部４１をブーツ７の被収容部５０の２つのブーツガイド収容部５７にそれぞれ挿入する。このとき、蛇腹部５１は抜去方向を向いている。
【００３６】
この状態で、ブーツ７は、下ハウジング２４に対して移動可能となっている。具体的には、ブーツ７の被収容部５０は、ブーツガイド突部４１が収容されるブーツガイド収容部５７が圧着ガイド突部４０を中心とする円弧を描いているので、下ハウジング２４に対して圧着ガイド突部４０を中心として揺動可能となっている。ブーツ７の被収容部５０が下ハウジング２４に対して揺動可能な角度範囲は、各ブーツガイド収容部５７が描く円弧の中心角より若干狭い。本実施形態においてブーツ７の被収容部５０が下ハウジング２４に対して揺動可能な角度範囲は４度であるが、これに限定されない。
【００３７】
次に、図４、図９及び図１０を参照して、圧着部材２２及び圧着支持部材２３について説明する。図４に示すように、圧着部材２２及び圧着支持部材２３は、ハウジング６の内部空間２６において光ケーブル２の先端部２Ａに取り付けられるものである。
【００３８】
図９には、圧着部材２２及び圧着支持部材２３の斜視図を示している。図１０には、圧着部材２２が圧着支持部材２３を収容した状態の一部切り欠き斜視図を示している。
【００３９】
図９及び図１０に示すように、圧着部材２２は、金属製であって、圧着部６０と揺動支持部６１を有している。圧着部６０と揺動支持部６１は、嵌合方向に向かってこの記載順に配置されている。圧着部６０と揺動支持部６１は一体的に形成されている。圧着部６０は、挿抜方向に筒状に延びる所謂クローズドバレルであって、図３に示す光ケーブル２の外皮１１に圧着される部分である。揺動支持部６１には、図５に示す下ハウジング２４の圧着ガイド突部４０が挿入される圧着ガイド収容部６２（圧着突部収容部）が形成されている。圧着ガイド収容部６２は、コネクタ高さ方向に円筒状に延びる貫通孔である。そして、圧着部６０と揺動支持部６１の間には圧着部６０の周方向に沿って延びるスリット６３が形成されている。このスリット６３により、圧着部６０を光ケーブル２に圧着する際に圧着部６０が変形容易となる。
【００４０】
一方で、圧着支持部材２３は、金属製であって、光ケーブル２の外皮１１内に挿入される挿入部６４と、挿入部６４よりも大径であって外皮１１の嵌合方向における端面が突き当たる突き当て部６５と、を有している。挿入部６４と突き当て部６５は、嵌合方向に向かってこの記載順となるように一体的に形成されている。
【００４１】
ここで、図４に戻り、光ケーブル２の嵌合方向における先端部２Ａにおいて、外皮１１には挿抜方向に延びる２つの引き出しスリット２Ｂが形成されている。各引き出しスリット２Ｂは、外皮１１の嵌合方向における先端１１Ａから抜去方向に向かって所定の長さとなるように形成されている。２つの引き出しスリット２Ｂは、外皮１１のコネクタ高さ方向における中央の位置に形成されており、コネクタ幅方向において対向するように形成されている。
【００４２】
図１１から図１３には、光ケーブル２の先端部２Ａに光コネクタ３を取り付けた様子を示している。ただし、図１１及び図１２では、２つのフェルール２０及び２つの圧縮コイルスプリング２１、光ケーブル２の外テンションメンバ１０の図示を省略している。また、図１１及び図１２では、ブーツ７を、コネクタ高さ方向における上半分を切り欠いて図示している。図１２では、更に、圧着部材２２及び光ケーブル２の外皮１１を、コネクタ高さ方向における上半分を切り欠いて図示している。図１３は、図１２の平面図に相当している。
【００４３】
光ケーブル２の先端部２Ａに光コネクタ３を取り付けるには、まず、図４に示すように光ケーブル２の先端部２Ａの外皮１１を所定長除去し、光ファイバコード８と外テンションメンバ１０（図３を併せて参照）を露出させる。また、外皮１１には、２つの引き出しスリット２Ｂを形成しておく。
【００４４】
次に、光ケーブル２の先端部２Ａをブーツ７の蛇腹部５１と被収容部５０のケーブル孔５４（図６を併せて参照）に順に通す。
【００４５】
次に、図１３に示すように、２つの光ファイバコード８を光ケーブル２の外皮１１の２つの引き出しスリット２Ｂから引き出し、２つの圧縮コイルスプリング２１（図４を併せて参照）にそれぞれ通した上で、２つのフェルール２０に圧着により取り付ける。なお、各光ファイバコード８の各フェルール２０に対する取り付けは公知の方法による。
【００４６】
次に、図１３において二点鎖線で示すように、光ケーブル２の外皮１１から嵌合方向に向かって露出する外テンションメンバ１０を抜去方向に１８０度折り返して、外テンションメンバ１０を外皮１１の外側に配置する。
【００４７】
この状態で、圧着支持部材２３の挿入部６４を光ケーブル２の外皮１１内に挿入すると共に、突き当て部６５を外皮１１の先端１１Ａ（図４を併せて参照）に突き当てる。そして、光ケーブル２の先端部２Ａを圧着支持部材２３と共に圧着部材２２の圧着部６０に挿入し、圧着支持部材２３の突き当て部６５を揺動支持部６１に突き当てる。この状態で、圧着部６０を圧着工具を用いて光ケーブル２の先端部２Ａに対して圧着する。このとき、光ケーブル２の外テンションメンバ１０と外皮１１は、光ケーブル２の径方向において、圧着支持部材２３の挿入部６４と圧着部材２２の圧着部６０の間で潰される。これにより、圧着部材２２及び圧着支持部材２３が光ケーブル２の先端部２Ａに対して固定される。
【００４８】
次に、２つのフェルール２０を下ハウジング２４の２つのフェルール貫通孔３０（図５を併せて参照）に挿入すると共に、圧着部材２２の揺動支持部６１の圧着ガイド収容部６２に下ハウジング２４の圧着ガイド突部４０を挿入し、同時に、ブーツ７の２つのブーツガイド収容部５７に下ハウジング２４の２つのブーツガイド突部４１をそれぞれ挿入する。そして、図１１及び図１２に示すように、ブーツ７を下ハウジング２４の底面３２Ａに着座させる。
【００４９】
図１１及び図１２に示すように、光ケーブル２は、圧着ガイド突部４０を介して下ハウジング２４に支持されている。即ち、光ケーブル２は、圧着ガイド突部４０を中心として揺動自在となるようにハウジング６に支持されている。従って、各光ファイバコード８の曲げ開始位置は図１３に示すフェルール２０の後端２０Ａとなるので、ハーネス１の配線スペースが狭く光ケーブル２をきつく曲げなければならない状況下でも、光ファイバコード８の屈曲半径を許容屈曲半径内に収め易くなる。
【００５０】
また、このとき、ブーツ７の揺動中心と圧着部材２２の揺動中心が一致しているので、ブーツ７と光ケーブル２と圧着部材２２を一体的に揺動させることが可能となり、もって、光ファイバコード８の許容屈曲半径に関する上記の効果が一層確実に発揮されるようになる。
【００５１】
最後に、図４に示す上ハウジング２５を下ハウジング２４に対して溶着又は接着により結合する。これにより、光ケーブル２の先端部２Ａに対する光コネクタ３が完了する。
【００５２】
以上に、本開示の好適な実施形態を説明したが、上記実施形態は、以下の特長を有する。
【００５３】
図４に示すように、光コネクタ３は、相手コネクタ４（嵌合対象物）に嵌合可能な嵌合部５を一端に有するハウジング６と、ハウジング６の他端に取り付けられたブーツ７と、を備える。図８に示すように、ハウジング６には、相手コネクタ４への嵌合方向に対して直交する方向に柱状に突出するブーツガイド突部４１（ブーツ突部）が形成されている。ブーツ７にはブーツガイド突部４１が収容される貫通孔としてのブーツガイド収容部５７（ブーツ突部収容部）が形成されている。以上の構成によれば、ブーツ７に外力が作用しても、ブーツ７がハウジング６から脱落し難くなる。
【００５４】
なお、上記実施形態では、ハウジング６にブーツガイド突部４１を設け、ブーツ７にブーツガイド収容部５７を設けることとした。しかし、これに代えて、ブーツ７に相手コネクタ４への嵌合方向に対して直交する方向に柱状に突出するブーツ突部を設け、このブーツ突部を収容するブーツ突部収容部をハウジング６に形成してもよい。この場合でも、ブーツ７がハウジング６から脱落し難くなる効果が問題なく発揮される。
【００５５】
また、ブーツガイド突部４１は、相手コネクタ４への嵌合方向に対して直交する方向に柱状に突出するものとしたが、これに代えて、相手コネクタ４への嵌合方向に対して交差する方向に柱状に突出するものとしてもよい。この場合でも、ブーツ７がハウジング６から脱落し難くなる効果が問題なく発揮される。
【００５６】
また、ブーツガイド収容部５７は、ブーツガイド突部４１が収容される貫通孔としたが、これに代えて、貫通しない窪みとしてもよい。この場合でも、ブーツ７がハウジング６から脱落し難くなる効果が問題なく発揮される。
【００５７】
また、図５に示すブーツガイド突部４１の外周面４１Ａと、図７に示すブーツガイド収容部５７の内周面５７Ａの間には隙間がある。以上の構成によれば、隙間の分だけブーツ７がハウジング６に対して移動可能となるので、光ファイバコード８の曲げ開始位置を嵌合部５に近づけることができ、もって、設置スペースが小さい空間でも問題なく光コネクタ３を使用することができるようになる。
【００５８】
また、図７及び図８に示すように、平面視で見ると（ブーツガイド突部４１の突出方向に沿って見ると）、ブーツガイド収容部５７は、所定の方向に沿って細長く延びるように形成されている。以上の構成によれば、ブーツ７をハウジング６に対して所定の方向に移動可能とすることができる。
【００５９】
また、図７に示すように、ブーツガイド収容部５７は、ブーツガイド収容部５７の長手方向においてブーツガイド収容部５７を区画する２つの区画面５７Ｂを有する。以上の構成によれば、ブーツ７がハウジング６に対して移動可能な範囲を規制することができる。
【００６０】
また、図７に示すように、平面視で見ると、ブーツガイド収容部５７は、円弧状に延びている。以上の構成によれば、ブーツガイド収容部５７に沿ってブーツ７をハウジング６に対して揺動可能とすることができる。
【００６１】
また、図７及び図８に示すように、ハウジング６には、ブーツガイド突部４１が複数、即ち２つ形成されている。ブーツ７には、２つのブーツガイド突部４１に対応するようにブーツガイド収容部５７が複数、即ち２つ形成されている。平面視で見ると、２つのブーツガイド収容部５７は、単一の円弧５８に沿って円弧状に延びている。以上の構成によれば、ブーツガイド収容部５７に沿ってブーツ７をハウジング６に対して安定的に揺動可能とすることができる。
【００６２】
また、図７に示すように、ブーツ７は、ハウジング６に収容される被収容部５０を有する。被収容部５０は、ハウジング６の湾曲内壁面３３Ａ（内壁面）及び底面３２Ａ（内壁面）に対して対向する環状の外周面５５（対向面）を有する。環状の外周面５５には、ハウジング６の湾曲内壁面３３Ａ及び底面３２Ａに対して環状に接触する環状リブ５６（リブ）が形成されている。以上の構成によれば、ハウジング６の湾曲内壁面３３Ａ及び底面３２Ａとブーツ７の被収容部５０の外周面５５の間を水や油その他の異物が通ることを抑制することができる。
【００６３】
また、図７に示すように、環状の外周面５５には、環状リブ５６が２つ、嵌合方向において離れた位置に形成されている。以上の構成によれば、ハウジング６の湾曲内壁面３３Ａ及び底面３２Ａとブーツ７の被収容部５０の外周面５５の間を水や油その他の異物が通ることを一層確実に抑制することができる。具体的には、環状リブ５６を２つ設けることで、被収容部５０がハウジング６の内部空間２６においてどのような姿勢になったとしても、２つの環状リブ５６のうち少なくとも何れか一方がハウジング６に対して環状に接触することが期待できる。即ち、２つの環状リブ５６は、密封機能を相補的に発揮することができる。
【００６４】
なお、上記実施形態では、環状の外周面５５に環状リブ５６を２つ設けるものとしたが、これに代えて、３つ以上の環状リブ５６を設けてもよい。
【００６５】
また、図４及び図９に示すように、光コネクタ３は、相手コネクタ４に嵌合可能な嵌合部５を一端に有するハウジング６と、光ケーブル２の外皮１１に圧着される圧着部６０を有する圧着部材２２と、を備える。図９から図１２に示すように、ハウジング６には、相手コネクタ４への嵌合方向に対して直交する方向に柱状に突出する圧着ガイド突部４０（圧着突部）が形成されている。圧着部材２２には、圧着ガイド突部４０が収容される貫通孔としての圧着ガイド収容部６２（圧着突部収容部）が形成されている。以上の構成によれば、光ケーブル２に外力が作用しても、圧着部材２２がハウジング６から脱落し難くなる。
【００６６】
なお、上記実施形態では、ハウジング６に圧着ガイド突部４０を形成し、圧着部材２２に圧着ガイド収容部６２を形成することとしたが、これに代えて、圧着部材２２に圧着ガイド突起を形成し、ハウジング６に圧着ガイド収容部を形成してもよい。この場合でも、圧着部材２２がハウジング６から脱落し難くなる効果が問題なく発揮される。
【００６７】
また、圧着ガイド突部４０は、嵌合方向に対して直交する方向に柱状に突出するものとしたが、嵌合方向に対して交差する方向に柱状に突出していればよい。この場合でも、圧着部材２２がハウジング６から脱落し難くなる効果が問題なく発揮される。
【００６８】
また、圧着ガイド収容部６２は、圧着ガイド突部４０が収容される貫通孔としたが、これに代えて、圧着ガイド突部４０が収容される窪みとしてもよい。この場合でも、圧着部材２２がハウジング６から脱落し難くなる効果が問題なく発揮される。
【００６９】
また、図１３に示すように、圧着ガイド突部４０及び圧着ガイド収容部６２は円柱状に形成されている。以上の構成によれば、光ケーブル２をハウジング６に対して揺動可能とすることができる。
【００７０】
上記実施形態では、圧着ガイド突部４０と圧着ガイド収容部６２を何れも円柱状としたが、これに代えて、何れか一方のみ円柱状としてもよい。この場合でも、光ケーブル２をハウジング６に対して揺動可能とする効果が問題なく発揮される。
【００７１】
また、図４及び図１３に示すように、光コネクタ３は、更に、圧着部材２２の圧着部６０の内側に配置され、光ケーブル２の外皮１１の中に挿入可能な圧着支持部材２３を備える。以上の構成によれば、圧着部材２２の圧着部６０を光ケーブル２の外皮１１に対して一層確実に圧着することができる。
【００７２】
また、図１及び図２に示すように、ハーネス１は、光コネクタ３と、光ケーブル２と、を備える。図４に示すように、光コネクタ３は、フェルール２０を更に備える。図３に示すように、光ケーブル２は、光ファイバコード８と、光ファイバコード８に縦添えされた外テンションメンバ１０（抗張力部材）と、光ファイバコード８と外テンションメンバ１０を覆う外皮１１と、を有する。外皮１１には引き出しスリット２Ｂ（スリット）が形成されている。図１３に示すように、光ファイバコード８は、引き出しスリット２Ｂを通じて光ケーブル２から引き出されており、圧着部材２２の圧着部６０の外側を通ってフェルール２０に至る。以上の構成によれば、光コネクタ３の内部空間２６において、光ファイバコード８が圧着ガイド突部４０を避けてフェルール２０に至る配線が実現される。
【符号の説明】
【００７３】
１  ハーネス
２  光ケーブル
２Ａ  先端部
２Ｂ  引き出しスリット（スリット）
３  光コネクタ
４  相手コネクタ（嵌合対象物）
５  嵌合部
６  ハウジング
７  ブーツ
８  光ファイバコード
９  繊維
１０  外テンションメンバ（抗張力部材）
１１  外皮
１１Ａ  先端
１２  心線
１３  繊維
１４  内テンションメンバ
１５  シース
２０  フェルール
２０Ａ  後端
２１  圧縮コイルスプリング
２２  圧着部材
２３  圧着支持部材
２４  下ハウジング
２５  上ハウジング
２６  内部空間
２７  バネ押さえ
３０  フェルール貫通孔
３１  スプリング支持部
３２  底板
３２Ａ  底面（内壁面）
３３  側板
３３Ａ  湾曲内壁面（内壁面）
４０  圧着ガイド突部（圧着突部）
４０Ａ  外周面
４１  ブーツガイド突部（ブーツ突部）
４１Ａ  外周面
４３  ブーツ取り付け窪み
５０  被収容部
５１  蛇腹部
５２  被収容部本体
５２Ａ  上面
５２Ｂ  下面
５２Ｃ  側面
５３  ガイドアーム
５４  ケーブル孔
５５  外周面（対向面）
５６  環状リブ（リブ）
５７  ブーツガイド収容部（ブーツ突部収容部）
５７Ａ  内周面
５７Ｂ  区画面
５８  円弧
６０  圧着部
６１  揺動支持部
６２  圧着ガイド収容部（圧着突部収容部）
６３  スリット
６４  挿入部
６５  突き当て部
【図１】
2020101668.tif 000003
【図２】
2020101668.tif 000004
【図３】
2020101668.tif 000005
【図４】
2020101668.tif 000006
【図５】
2020101668.tif 000007
【図６】
2020101668.tif 000008
【図７】
2020101668.tif 000009
【図８】
2020101668.tif 000010
【図９】
2020101668.tif 000011
【図１０】
2020101668.tif 000012
【図１１】
2020101668.tif 000013
【図１２】
2020101668.tif 000014
【図１３】
2020101668.tif 000015
【図１４】
2020101668.tif 000016